(57)【特許請求の範囲】
【請求項１】
コンピュータデバイスであって、
表示データを提示するディスプレイと、
前記コンピュータデバイスへのユーザ入力を容易にするように構成されている少なくとも１つのキーであって、キー構造と、上面に傾斜反射面を有するキーキャップとを含む少なくとも１つのキーとを備え、
前記ディスプレイは前記少なくとも１つのキーに向けて光を放射し、前記ディスプレイから放射された光の一部が前記キーキャップの前記傾斜反射面で反射されて、ユーザの位置に向けられ、
前記傾斜反射面は、切子面の各々が異なる面方向を持つ多切子反射面となっている
ことを特徴とするコンピュータデバイス。
【請求項２】
前記傾斜反射面は、複数の傾斜反射面を備える
ことを特徴とする請求項１に記載のコンピュータデバイス。
【請求項３】
前記傾斜反射面は、反射のこぎり歯形状の溝外形を備える
ことを特徴とする請求項１に記載のコンピュータデバイス。
【請求項４】
前記傾斜反射面は、アルミニウム、銀あるいはそれらの合成物を有する
ことを特徴とする請求項１に記載のコンピュータデバイス。
【請求項５】
前記少なくとも１つのキーの前記キーキャップは、更に、前記傾斜反射面に渡って提供される外部保護層を含んでいる
ことを特徴とする請求項１に記載のコンピュータデバイス。
【請求項６】
前記少なくとも１つのキーは、少なくとも部分的に透過し、
当該コンピュータデバイスは、前記少なくとも１つのキーの背後に提供される少なくとも１つのバックライトを備える
ことを特徴とする請求項１に記載のコンピュータデバイス。
【請求項７】
前記傾斜反射面は、反射材料を含むインクあるいは塗料の層あるいはコーティングを備える
ことを特徴とする請求項１に記載のコンピュータデバイス。
【請求項８】
前記傾斜反射面は、前記少なくとも１つのキー上に反射表記を生み出すようにパターンが施されているあるいは覆われている
ことを特徴とする請求項１乃至７のいずれか１項に記載のコンピュータデバイス。
【請求項９】
前記少なくとも１つのキーは、更に、前記傾斜反射面に渡って提供される拡散層を含む外層を含んでいて、
前記拡散層は、前記ディスプレイからの光によって描かれる画像の直接反射とは対照的に通常の照明を提供するように光を拡散するように動作する
ことを特徴とする請求項８に記載のコンピュータデバイス。
【請求項１０】
前記少なくとも１つのキーは、更に、前記傾斜反射面に渡って提供される拡散層を含む外層を含んでいて、
前記拡散層は、前記ディスプレイからの光によって描かれる画像の直接反射とは対照的に通常の照明を提供するように光を拡散するように動作する
ことを特徴とする請求項１乃至７のいずれか１項に記載のコンピュータデバイス。
【請求項１１】
当該コンピュータデバイスは、ポータブルコンピュータデバイスであり、
前記少なくとも１つのキーは、キーパッドの一部である
ことを特徴とする請求項１乃至７のいずれか１項に記載のコンピュータデバイス。
【請求項１２】
前記傾斜反射面は、少なくとも反射ブレーズ構造を含んでいる
ことを特徴とする請求項１に記載のコンピュータデバイス。
【請求項１３】
前記反射ブレーズ構造は、反射のこぎり歯形状の外形を備え、
前記少なくとも１つのキーに対する前記反射のこぎり歯形状の外形は、ｘ−ｙ平面を形成する前記少なくとも１つのキーの上面に関してのｘ軸及びｙ軸の一方あるいは両方に対して角度が付けられている
ことを特徴とする請求項１２に記載のコンピュータデバイス。
【請求項１４】
ポータブルコンピュータデバイスに関連付けられているディスプレイからの光を使用して、前記ポータブルコンピュータデバイスのキーを照明する方法であって、
１つ以上のキーであって、それぞれのキーが、キー構造と、上面に傾斜反射面を有するキーキャップとを含む１つ以上のキーを提供するステップと、
前記１つ以上のキーにおいて、前記ディスプレイから放射され、かつ前記１つ以上のキーに向けられている光の少なくとも一部を受光するステップと、
前記ディスプレイから放射され、かつ前記１つ以上のキーに向けられている光の少なくとも一部を、前記１つ以上のキーに対応する前記キーキャップの前記傾斜反射面を介して反射するステップと、
前記反射された光をユーザ位置へ提供するステップとを備え、
前記傾斜反射面は、切子面の各々が異なる面方向を持つ多切子反射面となっている
ことを特徴とする方法。
【請求項１５】
前記傾斜反射面は、反射のこぎり歯形状の溝外形を備える
ことを特徴とする請求項１４に記載の方法。
【請求項１６】
前記１つ以上のキーは、更に、前記傾斜反射面に渡って提供される拡散層を含む外層を含んでいて、
前記拡散層は、前記ディスプレイからの光によって描かれる画像の直接反射とは対照的に通常の照明を提供するように光を拡散するように動作する
ことを特徴とする請求項１４に記載の方法。
【請求項１７】
コンピュータデバイスであって、
表示されているデータを提示するためのディスプレイと、
当該コンピュータデバイスへのユーザ入力を容易にするように構成されている少なくとも１つのキーとを備え、
前記少なくとも１つのキーは、キー構造と、上面に反射ブレーズ構造を有するキーキャップとを含んでいる、
前記ディスプレイは前記少なくとも１つのキーに向けて光を放射し、前記ディスプレイから放射された光の一部が前記反射ブレーズ構造で反射されて、ユーザの位置に向けられ、
前記反射ブレーズ構造は、切子面の各々が異なる面方向を持つ多切子反射面となっている
ことを特徴とするコンピュータデバイス。
【請求項１８】
前記反射ブレーズ構造は、反射のこぎり歯形状の外形を備え、
前記少なくとも１つのキーに対する前記反射のこぎり歯形状の外形は、ｘ−ｙ平面を形成する前記少なくとも１つのキーの上面に関してのｘ軸及びｙ軸の一方あるいは両方に対して角度が付けられている
ことを特徴とする請求項１７に記載のコンピュータデバイス。
【請求項１９】
前記反射ブレーズ構造は、反射のこぎり歯形状の溝外形を備え、
前記少なくとも１つのキーに対する前記反射のこぎり歯形状の溝外形は、ｘ−ｙ平面を形成する前記少なくとも１つのキーの上面に関してのｘ軸及びｙ軸の一方あるいは両方に対して切子面が付けらている
ことを特徴とする請求項１７に記載のコンピュータデバイス。
【請求項２０】
前記少なくとも１つのキーは、更に、前記反射ブレーズ構造に渡って提供される拡散層を含む外層を含んでいて、
前記拡散層は、前記ディスプレイからの光によって描かれる画像の直接反射とは対照的に通常の照明を提供するように光を拡散するように動作する
ことを特徴とする請求項１７乃至１９のいずれか１項に記載のコンピュータデバイス。
【発明の詳細な説明】
【技術分野】
【０００１】
技術分野
本発明は、電子デバイスに対するキー群の照明に関するものであり、より詳しくは、反射光を使用する電子デバイスに対するキー群の照明に関するものである。
【背景技術】
【０００２】
従来技術の説明
コンピュータデバイス、例えば、ノートブックコンピュータ、移動電話、ネットブックコンピュータ、電子リーダ及びその他の物は、一般的に、ユーザ選択用の１つ以上のキーを備える。これらのキー群は、キーボードあるいはキーパッドで提供される。ユーザに対して、キー同士を見て視覚的に区別させるために、キー群は、表記（legend）を含んでいる。例えば、キーには、文字の「ａ」、数字の「１」、シンボルの「♯」が付されている。キーの基調色よりも高いコントラストの色の表記を提供することは、視認性に役立たせることができる。いくつかの場合、これらのコンピュータシステムは、キーにバックライト機能を提供することができる。このバックライト機能は、キーを照明することで、ユーザはキー同士を視覚的に区別することができる。このような照明は、コンピュータデバイスが低照明条件下で使用される場合に特に有用である。
【０００３】
しかしながら、残念なことに、バックライト機能を提供することは、追加の回路及び光学部品を必要とする。バックライト機能の使用は電力も消費する。つまり、コンピュータデバイスの電力効率を低下させる。従って、低照明条件下で、キーの照明を提供する代替の方法を提供することが依然として必要とされている。
【発明の概要】
【０００４】
本発明は、例えば、キーのような、ユーザ入力デバイスに対する視認性を改善するための技術及び装置に関するものである。低照明条件下では、キー同士を区別しにくい場合がある。例えば、通常、キーは、その上に表記を有していて、他のキーと視覚的に区別しているが、低照明条件下では、ユーザにとっては、異なるキーを視覚的に区別しにくい場合がある。これらの表記は、文字及び絵の少なくとも一方であり得る。ここで、一実施形態に従えば、近くにある（例えば、付属の）ディスプレイデバイスからの光は、ユーザ入力デバイス（例えば、キー）に照明を与えるために使用することができる。より詳しくは、一実施形態では、近くにあるディスプレイデバイスからのいくらかの光は、ユーザ入力デバイスに向かって直射され、そして反射されるので、キーそのものあるいはそのキー上の表記の視認性を高めることができる。以下で説明するように、ユーザ入力デバイス（例えば、キー）は、光の反射を高めることによって、キーそのものあるいはそのキー上の表記の視認性を改善するように構成することができる。ユーザ入力デバイスのいくつかあるいはすべては、光の反射を高めるための１つ以上の光学部品を含むように構成することによって、キーあるいはそのキー上の表記の視認性を高めることができる。
【０００５】
本発明は、方法、システム、デバイスあるいは装置を含む様々な方法で実現することができる。本発明のいくつかの実施形態は以下で説明する。
【０００６】
コンピュータデバイスとして、一実施形態では、例えば、表示データを提示するディスプレイと、前記コンピュータデバイスへのユーザ入力を容易にするように構成されている少なくとも１つのキーを含むことができる。前記少なくとも１つのキーは、キー構造と、前記キー構造に隣接して配置される傾斜反射面とを含んでいる。前記傾斜反射層は光学構造であり、これは、ユーザに光を向けるための機能である。
【０００７】
ポータブルコンピュータデバイスに関連付けられているディスプレイからの光を使用して、前記ポータブルコンピュータデバイスのキーを照明する方法として、一実施形態は、例えば、少なくとも、傾斜反射面を有する１つ以上のキーを提供するステップと、前記少なくとも１つのキーにおいて、前記ディスプレイから放射され、かつ前記１つ以上のキーに向けられている光の少なくとも一部を受光するステップと、前記ディスプレイから放射され、かつ前記１つ以上のキーに向けられている光の少なくとも一部を、前記１つ以上のキーに対応する前記傾斜反射面を介して反射するステップと、前記反射された光をユーザ位置へ提供するステップとを含むことができる。
【０００８】
コンピュータデバイスとして、一実施形態は、例えば、少なくとも、表示されているデータを提示するためのディスプレイと、当該コンピュータデバイスへのユーザ入力を容易にするように構成されている少なくとも１つのキーとを含むことができる。前記少なくとも１つのキーは、キー構造と、前記キー構造に隣接して配置されている反射ブレーズ構造を含んでいる。
【０００９】
電子デバイスの非バックライトキーとして、一実施形態は、例えば、少なくとも、上面と、前記上面に形成されていて、かつ表記を示す反射光学部品とを含むことができる。前記反射光学部品は、当該非バックライトキーの前記表記が低照明条件下でより視認可能であるように光を反射するように動作する。
【００１０】
一実施形態に従うキー用のブレーズは、当該キーの上面に関してｘ軸、ｙ軸あるいはそれらの両軸で非ゼロの角度の反射面を有することで、ユーザ位置に渡って光を制御可能に分散し、ユーザがめったに位置していない方向の無駄な光を削減するように構成されている。
【００１１】
一実施形態に従うキーボードのキーは、ユーザ入力を受け付けるように構成されているキー本体と、前記キー本体に配置されている表記とを含むことができる。前記表記は、前記キー本体の一部分のみを占有し、また、前記表記は、反射材料によって形成される。前記表記は、また、低照明条件下の視認性を高める１つ以上の光学部品を含んでいる。
【００１２】
本発明の他の態様及び利点は、本発明の原理を例示する添付の図面とともに取り上げられる以下の詳細説明から明らかとなろう。
【図面の簡単な説明】
【００１３】
【図１Ａ】一実施形態に従う電子デバイスの側面図である。
【図１Ｂ】一実施形態に従うユーザ入力領域の平面図である。
【図１Ｃ】一実施形態に従う、数字表記（例えば、「５」）を有するキーを示す図である。
【図１Ｄ】一実施形態に従う１つ以上の光学部品を備える数字表記を有するキーを示す図である。
【図２】一実施形態を示す光学配置の概念図である。
【図３】一実施形態に従うキー照明プロセスのフロー図である。
【図４Ａ】一実施形態に従う反射キーの側面図である。
【図４Ｂ】別の実施形態に従う反射キーの側面図である。
【図４Ｃ】一実施形態に従う反射光学部品を示す図である。
【図５Ａ】一実施形態に従う反射キーの側面図である。
【図５Ｂ】別の実施形態に従う反射キーの側面図である。
【図５Ｃ】別の実施形態に従う反射キーの側面図である。
【図５Ｄ】別の実施形態に従う反射キーの側面図である。
【図５Ｅ】一実施形態に従う反射光学部品の透視図である。
【図６】一実施形態に従うキーキャップ形成プロセスのフロー図である。
【図７Ａ】一実施形態に従うキーキャップの例示の上面を示す図である。
【図７Ｂ】一実施形態に従う反射キーの断面図である。
【図７Ｃ】別の実施形態に従う反射キーの断面図である。
【図８】別の実施形態を示す光学配置の概念図である。
【図９】別の実施形態に従うキー照明プロセスのフロー図である。
【発明を実施するための形態】
【００１４】
本発明は、例えば、キーのような、ユーザ入力デバイスに対する視認性を改善するための技術及び装置に関するものである。低照明条件下では、キー表記同士を区別しにくい場合がある。例えば、通常、キーは、その上に表記を有していて、他のキーとを視覚的に区別しているが、低照明条件下では、ユーザにとっては、異なるキーを視覚的に区別しにくい場合がある。これらの表記は、文字及び絵（図柄）の少なくとも一方であり得る。ここで、一実施形態に従えば、近くにある（例えば、付属の）ディスプレイデバイスからの光は、ユーザ入力デバイス（例えば、キー）に照明を与えるために使用することができる。より詳しくは、一実施形態では、近くにあるディスプレイデバイスからのいくらかの光は、ユーザ入力デバイスに向かって直射され、そして反射されるので、キーそのものあるいはそのキー上の表記の視認性を高めることができる。以下で説明するように、ユーザ入力デバイス（例えば、キー）は、光の反射を高めることによって、キーそのものあるいはそのキー上の表記の視認性を改善するように構成することができる。ユーザ入力デバイスのいくつかあるいはすべては、光の反射を高めるための１つ以上の光学部品を含むように構成することによって、キーあるいはそのキー上の表記の視認性を高めることができる。
【００１５】
本発明の実施形態を、図１Ａ〜図９を参照して以下で説明する。しかしながら、当業者は、これらの図とともに本明細書で与えられる詳細説明が説明目的のためであって、本発明がこれらの実施形態に制限されずに拡張されるものであることを理解するであろう。これらの図で提供される図は、縮尺されたものである必要はなく、これらの図は、説明を容易にするために提示されるものである。
【００１６】
図１Ａは、一実施形態に従う電子デバイス１００の側面図である。電子デバイス１００は、例えば、移動コンピュータデバイス（例えば、ラップトップコンピュータ、ノートブックコンピュータあるいはネットブックコンピュータ）、移動通信デバイス（例えば、移動電話）、あるいはデジタルメディア再生デバイス（例えば、ＤＶＤプレーヤ）、健康／医療機器、あるいは車載デバイスである。電子デバイス１００は、ベース部分（本体部分）１０２とトップ部分（天板部）１０４を含んでいる。ベース部分１０２は、様々な電子部品を備える少なくとも１つのプリント回路基板を収容し、これらの電子部品は、一般用途あるいは特定用途の電子デバイス（例えば、コンピュータデバイス）を提供するように相互に作用する。ベース部分１０２は、また、ユーザ入力領域１０６を支持する。ユーザ入力領域１０６は、電子デバイスのユーザからのユーザ入力を受け付けることができる。例えば、ユーザ入力領域１０２は、複数のキーを有するキーボードあるいはキーパッドを含むことができる。トップ部分１０４は、ディスプレイデバイス１０８を含むことができる。動作する場合には、ディスプレイデバイス１０８は、そのディスプレイデバイス１０８上に提示されるテキストあるいは画像の照明のための光を生成する。ディスプレイデバイス１０８からの光のほとんどは、典型的には、ディスプレイデバイス１０８の表面に対して垂直に放射されるが、入射光１１０と呼ぶ、その光の一部は、ベース部分１０２に向けて直射され得る。ベース部分１０２に向けて直射される、ディスプレイデバイス１０８からの光の一部は、ユーザ入力領域１０６の１つ以上のキー（例えば、キートップあるいはキーキャップ）から反射され得る。１つ以上のキーそれぞれは、反射光１１２の量を増やすための光学部品を含むことができる。反射光１１２は、コンピュータデバイス１００におけるユーザの目１１４に向かって直射され得る。その結果、反射光１１２は、低照明条件下でユーザ入力領域１０６（例えば、キーボード）のキー群に与えられている表記を認識することをユーザに容易にする。
【００１７】
図１Ｂは、一実施形態に従うユーザ入力領域１０６’の平面図である。ユーザ入力領域１０６’は、複数のキー１１６を含むことができる。複数のキー１１６は、様々なサイズ、構成及び配置を有することができる。複数のキー１１６は、相対的に平面とすることができる、あるいは、それらは、曲面を含むことができる。複数のキー１１６のそれぞれは、それに関連付けられている表記（不図示）を有することができる。典型的には、表記は、対応するキーの可視面（例えば、上面）に備えられることになる。表記は、例えば、シンボルあるいは文字とすることができ、これには、例えば、アルファベット文字、あるいはグラフィックシンボル（例えば、ロゴ、アイコン等）がある。
【００１８】
図１Ｃは、一実施形態に従う、数字表記１１８（例えば、「５」）を有するキー１１６’を示している。いくつかの場合、表記１１８は、キー１１６’の上面に配置されていても良い。他の場合、表記１１８はユーザに視認可能であるが、表記１１８は、キー１１６’内に埋め込まれていても良い。例えば、表記１１８は、キー１１６’の最外上面に配される半透明／透明層内あるいはその配下に配置されていても良い。
【００１９】
図１Ｄは、一実施形態に従う１つ以上の光学部品１２０を備える数字表記１１８’を有するキー１１６’’を示している。１つ以上の光学部品１２０は、ディスプレイデバイスのような、光源からの光の向きを変更する（リダイレクトする）ように設計されている。例えば、表記１１８’は、光を反射して、表記１１８’をより視覚的に区別させるように設計することができる。そうすることで、キー上の表記を照明することができる専用のバックライトを、最小化あるいは除去さえすることができる。これは、電子デバイスのサイズの縮小の手助けになることがある。即ち、積み重ねを減らして、デバイスをより薄くすることを可能にする。
【００２０】
図１Ａで示される実施形態では、入射光１１０は、ディスプレイデバイス１０４から到来する。ディスプレイデバイス１０４は、図１Ａに示されるようにベース部分１０２に接続することができる。選択的には、電子デバイス１００は、電子デバイス１００の外部にある、あるいは分離されている光源を含んでいても良い。外部光源は、ディスプレイデバイス、照明設備（例えば、ランプ）、ポータブル光（携帯光）、太陽光、月光、あるいは周辺光とすることができる。光源からの光は、その少なくとも一部が、ユーザ入力領域１０６で受光される。
【００２１】
図２は、一実施形態を示す光学的な配置２００の概念図である。光学的な配置２００は、例えば、電子デバイスで使用することができる。光学的な配置２００は、光源２０２を含んでいる。光源２０２は、光源２０２を含むディスプレイデバイスへ直接的に照明するだけでなく、キー領域２０４内のキーへ間接的に照明するために利用することができる光を生成する。光源２０２は、例えば、内蔵ディスプレイスクリーンによって提供される。例えば、光源２０２は、ＬＣＤディスプレイスクリーンのバックライト、ＯＬＥＤ、あるいは他のディスプレイ技術を含むことができる。キー領域２０４は、低照明条件下での照明を容易にするために、同様に構成することができる複数のキーを含んでいる。特に、キー領域２０４内のキーは、キーキャップ２０６を含んでいる。キーキャップは、キーの上方部分あるいは上部にあるものと見なされるものである。
【００２２】
キーキャップ２０６は、照明を容易にするように変更することができる。特に、一実施形態に従えば、キーキャップ２０６のそれぞれの上部に、反射光学部品２０８と外層２１０が施されている。反射光学部品２０８は、キー領域２０４上に入射される光源２０２からの少なくとも一部の光２１２を反射するように機能することができる。入射光２１２は、キー領域２０４内のキーキャップ２０６上で突き当り、そして、外層２１０を介して通過し、そして、反射光学部品２０８によって部分的に反射され、ユーザ位置領域２１８におけるユーザの目２１６に向けられる反射光２１４を提供する。ユーザ位置領域２１８は、ユーザの目に対するユーザの位置のターゲットゾーンを示すことができる。ユーザ位置のターゲットゾーンは、ほぼ共通のユーザ位置を再現することができる。ここで、光学的な配置２００は、キーキャップ２０６の反射光学部品２０８を介して、ユーザ位置２１８に向けて、光源２０２からの光の反射を高めることができる。有利なことは、キーキャップ２０６の上部、あるいはその上に提供される表記は、ユーザ位置領域２１８内において、低照明条件下でのユーザの可視性を高めるように照明することができることである。
【００２３】
外層２１０は、保護層（あるいは保護カバー）及び拡散層の少なくとも一方として機能することができる。保護層と拡散層は、別層とすることもできるし、あるいは、１つの層として組み合わせることができる。
【００２４】
反射光学部品２０８を保護するために、保護層を提供することができる。保護層は、キーキャップ２０６上に提供される反射光学部品２０８に渡って提供することができる。典型的には、外層２１０は、入射光２１２と反射光２１４に対して実質的に光学的に透過である。
【００２５】
反射光学部品２０８は、ユーザ位置へ光を向ける。いくつかの実施形態では、反射光学部品２０８は、入射光を多少散乱させることができ、そうすることで、拡散層によって引き起こされる拡散を必要としないようにすることができる。拡散層は、提供される場合には、反射光２１４を拡散する（あるいは散乱させる）ように動作することができ、そうすることで、キーキャップ２０６上の照明は拡散され、そして、光源２０２によって描かれる任意の画像が拡散され、そして、キーキャップ２０６の照明は、光源２０２によって描かれる画像の直接反射とは対照的に通常の照明を提供する。例えば、仮に、光源２０２がディスプレイデバイスの一部であり、かつディスプレイデバイスが光源２０２からの照明で、自身の表示で山の画像を提示しているものである場合、拡散層は、反射光２１４を拡散することになり、そうすることで、山は、ユーザの目に入る反射光２１４により認識可能でなくなるであろう。
【００２６】
図３は、一実施形態に従うキー照明プロセス３００のフロー図である。キー照明プロセス３００は、例えば、光源と１つ以上のキーを備えるキー領域を有する電子デバイス（例えば、コンピュータデバイス）によって実行される。例えば、キー照明プロセス３００は、図２で示される光学的な配置２００を提供する電子デバイスによって実行することができる。
【００２７】
キー照明プロセス３００は、光学部品を備えるキー領域内で１つ以上のキーを提供する３０２。この実施形態では、光学部品は、傾斜反射面として示される。傾斜反射面を有する１つ以上のキーは、光源（例えば、電子デバイス用ディスプレイ）から放射される光を１つ以上のキーで受光する３０４。１つ以上のキーで受光される光の部分は、傾斜反射面を介して反射される３０６。その後、反射光は、ユーザ位置に提供される３０８。その結果、１つ以上のキーを、電子デバイスの光源から発生される光を使用して照明することができる。光源は、例えば、ポータブルコンピュータのような電子デバイスのディスプレイ（スクリーン）とすることができる。このように、キー照明プロセス３００は、既存の光源（例えば、ディスプレイデバイス）を使用するので、専用の光源（例えば、キーボードバックライト）を必要としない。１つ以上のキーからの光の反射は、１つ以上のキーに提供されている傾斜反射面によるものであり、これは、電子デバイスのユーザに向けて反射される光の拡散と方向を管理する。一実装では、１つ以上のキーは、上述の図２で参照されるように、キーキャップを有することができる。キーあるいはキーキャップに対する様々な適切な構造あるいは配置を以下で説明する。
【００２８】
以下で詳細に説明されるように、１つ以上のキーで提供される光学部品は、少なくとも１つの傾斜反射面を含むことができる３０２。傾斜反射面は、対応するキーの上部に提供することができる。所与のキーに提供される光学部品は、複数の傾斜反射面を含むことができる。複数の傾斜反射面は、所定の配置の反射面（あるいは素子）で提供することができる。所定の配置の反射面は、少なくとも１つの回折格子、複数の切子面、あるいは複数の独立面で実現することができる。
【００２９】
上述のように、電子デバイスのキー領域の１つ以上のキーは、ディスプレイからの反射光を使用して、そのキーの照明を高めるための傾斜反射面を備えるように提供することができる。一実装では、傾斜反射面は、反射ブレーズ（blaze）構造と呼ぶことができる。１つ以上のキーの一部のそれぞれは、傾斜反射面を有することができ、この傾斜反射面は、自身の対応する傾斜反射面に対して異なる角度にすることができる。しかしながら、キー領域のキーの他方の部分は単に反射材料（即ち、そのような傾斜反射面のような光学部品を備えない）で提供することができることに注意すべきである。反射材料が光を反射できるかあるいは角度を付けられるかどうかで、角度が付けられている反射面は、ユーザの目（例えば、ユーザ位置領域２１８で提供される）により多くの量の光を反射することができる利点を提供しながら、ユーザの方向以外に拡散する光の損失を削減することができる。
【００３０】
図４Ａは、一実施形態に従う反射キー４００の側面図である。この実施形態では、反射キー４００は、キー構造４０２、キー構造４０２の上面に配される反射層４０４、及び反射層４０４に渡って配される保護層４０６を含むことができる。反射層４０４は、キー構造の最上面に、固定する、あるいは接着する（例えば、接着剤等で接着される）ことができ、あるいは、キー構造の最上面に統合することができる。反射層４０４は、反射光学部品４０８を含むことができる。図４Ａに示されるように、反射光学部品４０８は、１つ以上の反射面を提供することができ、これは、反射ブレーズ構造あるいはブレーズ構造と呼ぶことができる。この構造は、必要に応じて、ｘ、ｙ及びｚ軸の任意の１つ以上の軸に向けて置かれるあるいは構成設定することができる。一実施形態では、反射光学部品４０８は、複数のこぎり歯形状の溝４１０を有する、のこぎり歯形状の溝外形のような反射回折格子を有することができる。この反射回折格子は、それ自身で反射することができる、あるいは反射材料で被覆することができる。回折格子という用語を使用しているが、反射回折格子は、周期的あるいは非周期的等を含む様々な形態をとることができることが理解されるべきである。いくつかの場合、反射回折格子の反射面は、一部が周期的である一方で、他の一部が非周期であるようにすることができる。
【００３１】
反射層４０４の薄さは、実装に依存する。但し、一例では、反射層４０４は、約１−１５マイクロメートルの薄さを有することができる。保護層４０６の薄さも、実装に依存する。但し、一例では、保護層４０６は、約８−３０マイクロメートルの薄さを有することができる。図４で示される反射層４０４は直接的にあるいは間接的にパターンを施すことができ、そうすることで、適切な表記がキー構造４０２に配される。
【００３２】
反射層４０４と保護層４０６は、様々な異なる方法で提供することができる。一実施形態では、反射層４０４と保護層４０６の少なくとも一方あるいは両方は、蒸着処理あるいは吹き付け（スプレー）処理によって施すことができる。反射層４０４用の蒸着処理あるいは吹き付け処理では、インクあるいは塗料を基礎とすることができ、また、反射材料、例えば、小片のアルミニウム、銀あるいはそれらの合成物（あるいは合金）を含むことができる。保護層４０６用の吹き付け処理では、ＵＶ硬化保護膜とすることができる。別の実施形態では、反射層４０４は、シルクスクリーンプロセスによって施すことができる。保護層４０６は、様々な材料で提供することができる。保護層４０６の適切な材料の１つには、アクリル系の塗料がある。
【００３３】
反射光学部品４０８を形成するために、光学部品構造をキー構造４０２の上面に隣接して配置することができる。光学部品構造は、ブレーズとして示すことができる、複数ののこぎり歯形状の溝４１０を含むことができる。光学部品構造は、フィルムあるいは他の基材（例えば、エポキシ、硬化接着）によって提供することができ、これは、その内部に形成される複数ののこぎり歯形状の溝４１０を含んでいる。また、図４Ａに示される、のこぎり歯形状の溝４１０は、右向きの一次角度で形成されている。ここで、反射光学部品４０８は、右から入射光４１２を受光するように方向付けられている。右向きの一次角度は、ブレーズ角度と呼ぶことができる。
【００３４】
図４Ａに示される反射光学部品４０８（例えば、のこぎり歯形状の溝４１０）は反射層４０４を使用して形成することができるが、これは、別の実施形態では、反射光学部品４０８を、選択的に、キー構造４０２の上面に統合するあるいは埋め込むことができることに注意すべきである。但し、反射皮膜がその後、反射光学部品４０８に施されることになろう。これは、キー構造４０２の上面が、それ自身で既に非反射なものとなっている場合であり、これは、典型的な場合である。
【００３５】
反射光学部品（例えば、反射ブレーズ）は、所定の角度（ブレーズ角度として知られる）で提供され、かつ反射する、平面あるいは切子面部分で構成されていても良い。複数のキーを有するキーボードの場合、複数のキーのそれぞれに提供される反射光学部品に対する所定角度は変更することができる。所定の角度は、キーボードの面に関するブレーズの角度として示すことができる。所定の角度は、正（ディスプレイに向けて）あるいは負（ユーザに向けて）で表現することができる。通常のラップトップコンピュータの構成では、一実施形態は、正の所定の角度（正のブレーズ角度）を有することができる。これは、ユーザが、通常は、ディスプレイが存在する位置よりもテーブルから高い位置に存在するからである。正の所定の角度は、ラップトップコンピュータに対して垂直な方向に反射光の方向を制御することができる。選択的には、あるいは反射光の垂直方向の制御に加えて、所定の角度は、ラップトップコンピュータに対して水平な方向に反射光の方向を制御することができる。ここで、所定の角度は、ユーザ方向のキーボード側面にキーを傾けることができる。この所定の角度（ブレーズ角度）は、複合角度と呼ぶことができる。例えば、キーボードの右手側面のキーを、左側に傾けて、ディスプレイの光線をユーザに向け直す、そうでなければ、逃がすことができる。キーボードの左手側のキーを、右側に傾けて、ディスプレイの光線をユーザに向け直す、そうでなければ、逃がすことができる。
【００３６】
一実施形態では、複数のキーのそれぞれに提供される反射光学部品（例えば、反射ブレーズ）は、別々に決定することができる。換言すれば、複数のキーのそれぞれについて使用される所定の角度を、キー表記からユーザの位置への光の反射を制御するために、キーボードに渡って変更することができる。この反射ブレーズは、キー間の角度を調整することで、ユーザ位置領域からの目の位置（視点）で所望の均一性を作成することができる。複数のキーに提供される所定の角度は、また、光を拡散する切子面部分を構成することができる。切子面部分の使用は、光を拡散する働きをすることができ、そして、ユーザの位置の品質の範囲をより広くするために、キーボードを調光器にすることができる。
【００３７】
図４Ｂは、別の実施形態に従う反射キー４００’の側面図である。この実施形態では、図４Ａのように、反射キー４００’は、キー構造４０２、キー構造４０２の上面に配される反射層４０４、及び反射層４０４に渡って配される保護層４０６を含むことができる。但し、反射キー４００’は、光学部品に関してのみ、図４Ａの反射キー４００と異なる。具体的には、反射層４０４は、反射光学部品４０８’を含むことができる。図４Ｂに示されるように、反射光学部品４０８’は、１つ以上の反射面を提供することができ、この反射面は、反射ブレーズあるいはブレーズ構造と呼ぶことができる。一実施形態では、反射光学部品４０８’は、反射回折格子を有することができ、これには、例えば、複数ののこぎり歯形状の溝４１０を有する、のこぎり歯形状の溝外形である。反射回折格子は、それ自身で反射することができる、あるいは反射材料で被覆することができる。この実施形態では、図４Ａに示される、のこぎり歯形状の溝４１０’は、左向きの一次角度で形成される。ここで、反射光学部品４０８’は、左から入射光４１２’を受光するように方向付けられている。左向きの一次角度は、ブレーズ角度として呼ぶことができる。
【００３８】
図４Ｃは、一実施形態に従う反射光学部品４５０を示している。反射光学部品４５０も、ブレーズ構造と呼ぶことができる。反射光学部品４５０は、複数ののこぎり歯形状の溝４５２を含むことができる。のこぎり歯形状の溝４５２のそれぞれの距離ｄは、格子定数と呼ぶことができる。のこぎり歯形状の溝４５２の特定の寸法は用途で変化し、一実施形態では、ブレーズ角度と呼ぶことができる前角４５４は約５−３０度とすることができ、後角４５６は約１０−４５度とすることができ、距離ｄは約０．１ｍｍとすることができる。例示の特定の実施形態では、前角（ブレーズ角）は約１５度とすることができ、後角は約３０度とすることができ、距離ｄは約０．１ｍｍとすることができる。反射光学部品４５０は基材（例えば、フィルム、エポキシ、接着剤等）で形成することができ、そして、反射コーティング（被覆）が施される。反射コーティングは、反射材料の薄層によって基材上に提供することができる。反射材料は、反射インク、反射塗料、あるいは金属（例えば、アルミニウム、銀等）とすることができ、これらは、基材上に吹き付け処理あるいは蒸着処理される。どのような場合でも、のこぎり歯形状の溝４５２の反射面は、入射光４５８からの光４５８の少なくとも一部を反射するように動作することができる。入射光４５８は、のこぎり歯形状の溝４５２を有するキー上に突き当り、そして、ユーザ位置に向けられる反射光４６０として反射され、そうすることで、キー上に提供される表記は、低照明条件下でユーザにとってより明るくなる。
【００３９】
図５Ａは、一実施形態に従う反射キー５００の断面図である。この実施形態では、反射キー５００は、キー構造５０２、キー構造５０２の上面に配される反射層５０４、及び反射層５０４に渡って配される保護層５０６を含むことができる。反射層５０４は、反射光学部品５０８を含むことができる。反射キー５００は、反射光学部品５０８が反射光学部品４０８と異なる以外は、図４Ａに示される反射キー４００と類似している。図５Ａに示されるように、反射光学部品５０８は、反射ブレーズあるいはブレーズ構造と呼ぶことができる、１つ以上の反射面を提供する。一実施形態では、反射光学部品４０８は、複数の傾斜反射面５１０を有することができ、この傾斜反射面５１０に対する角度のいくつかあるいはすべては互いに異なっている、あるいは異なっていない。また、図５Ａで示されるように、傾斜反射面５１０は、均一な配置（例えば、共通のブレーズ角度で、かつ共通の離間距離（ｄ））で配置することができるし、あるいは不均一な配置（例えば、異なるブレーズ角度及び／あるいは異なる離間距離（ｄ））で配置することができる。この離間距離（ｄ）は、キーボードの表面に渡って異なる方向に、同一あるいは異ならせることができる。反射光学部品５０８は、それ自身で反射することができる、あるいは反射材料で被覆することができる。
【００４０】
反射層５０４と保護層５０６は、様々な異なる方法で提供することができる。一実施形態では、反射層５０４の一方あるいは両方は、蒸着処理あるいは吹き付け（スプレー）処理によって施すことができる。反射層５０４用の蒸着処理あるいは吹き付け処理では、インクあるいは塗料を基礎とすることができ、また、反射材料、例えば、小片のアルミニウム、銀あるいはそれらの合成物（あるいは合金）を含むことができる。保護層５０６用の吹き付け処理では、ＵＶ硬化保護膜とすることができる。別の実施形態では、反射層５０４は、シルクスクリーンプロセスによって施すことができる。保護層５０６は、様々な材料で提供することができる。保護層５０６の適切な材料の１つには、アクリル系の塗料がある。
【００４１】
反射光学部品５０８を形成するために、光学部品構造をキー構造５０２の上面に隣接して配置することができる。光学部品構造は、ブレーズとして示すことができる、複数の傾斜反射面５１０を含むことができる。この実施形態では、反射光学部品５０８は、複数ののこぎり歯形状の溝を有し、これは、均一に間隔が空けられておらず、また、傾斜反射面の少なくともいくつかに対して異なる角度を有している。図５Ａで示されるこの例では、２つののこぎり歯形状の溝は、同一の傾斜反射面を有し、のこぎり歯形状の溝は、異なる傾斜反射面（より小さい角度）を有している。各歯との間の離間距離も、この例では、より小さい角度の歯に対してより大きくなるような離間距離で変化している。光学部品構造は、フィルムあるいは他の基材（例えば、エポキシ、硬化接着）によって提供することができ、これは、その内部に形成される複数の傾斜反射面５１０を含んでいる。このようにして得られる反射光学部品５０８は、所望の光学特性を生み出すために、適切に位置決めされた傾斜反射面５１０を備えるように設計されている。
【００４２】
図５Ｂは、別の実施形態に従う反射キー５００’の断面図である。この実施形態では、反射キー５００’が、異なる傾斜反射面を提供する、平面部分５１０’を区分するように切子面となっている反射光学部品５０８’を含んでいること以外は、図５Ａに示される反射キー５００と類似している。
【００４３】
図５Ｃは、別の実施形態に従う反射キー５００’’の断面図である。この実施形態では、反射キー５００’’は、反射キー５００’’が、のこぎり歯形状の溝として形成される複数の異なる傾斜反射面を含む反射光学部品５０８’’を含んでいること以外は、図５Ａに示される反射キー５００に類似している。図５Ｃに示されるように、反射光学部品５０８’’の方向は、反射キー５００’’の方向に関して自身が角度付けられている。図示のように、反射光学部品５０８’’は、右側よりも左側がより高くなっている。また、のこぎり歯形状の溝のそれぞれの高さは、同一の高さである必要はなく、また、のこぎり歯形状の溝の角度も同一の角度である必要はない。
【００４４】
一般的には、ユーザに対して見えるように表記に提供される１つ以上の反射面は、互いに関連する異なる高さ（ｚ高）で提供することができ、及び／あるいはｘ軸あるいはｙ軸に関して角度を付けることができる。ここで、各反射面は、定義されたｘ、ｙ及びｚ位置に配置することができる。
【００４５】
図５Ｄは、別の実施形態に従う反射キー５００’’’の透視図である。この実施形態では、反射キー５００’’’は、反射キー５００’’’が、図４Ａに示されるものと類似する、のこぎり歯形状の溝として形成される、複数の均一な傾斜反射面を含むことができる反射光学部品５０８’’’を含んでいること以外は、図５Ａに示される反射キー５００に類似している。図５Ｄに示されるように、反射光学部品５０８’’’の方向は、保護層５０６の面あるいはキー構造の上面に関して２次元に自身が角度付けられている。ここで、一般的には、反射光学部品５０８’’’は、提供されている１つ以上の傾斜反射面の構成に関わらず、保護層５０６によって形成される面あるいはキー構造の上面の１軸あるいは２軸に関する方向に曲げることができる。
【００４６】
図５Ｄに示される溝の実装に加えて、のこぎり歯形状は、対角線の交差部分で明確であり、別の実施形態では、追加ののこぎり歯形状を、例えば、垂直線の交差部分にすることを許容する。この場合、各ブレーズ構造は、ユーザに対する反射光を高める（あるいは最適化する）ように設計されている角度を有する、ほぼ正方形となる。反復（繰り返し）ピッチの方向は、図５Ｄにおける溝に沿っていても良いし、垂直であっても良い。あるいは、その反復（繰り返し）ピッチは、例えば、キーの側面に沿っていても良いし、垂直であっても良い。
【００４７】
図５Ｅは、一実施形態に従う反射光学部品５５０の透視図である。反射光学部品５５０は、ファセット（小平面（切子面））と呼ぶことができる複数の傾斜反射面５５２を有する３次元構造である。傾斜反射面５５２は、平面反射面（あるいは平面反射部分）とすることができる。ファセット５５２のそれぞれは、特定の方向に光を向けるために使用することができる。これらのファセット５５２（ファセット（切子）ブレーズと呼ぶことができる）は、のこぎり歯形状で反復され、任意の２つの方向に沿っているが、互いに法線である必要はない、それぞれ複数の反射面を有することができる。
【００４８】
一実施形態に従えば、反射光学部品５５０のファセットは、より一般的にはノード（節点）と呼ぶことができる。ファセットのような、これらのノードは、キー（あるいは他のユーザ入力機構）に提供される反射面である。ノード群は、図５Ｅに示されるように近接して形成されるあるいは配置される。しかしながら、別の実施形態では、ノード群は、それらのノードが近接して形成されないあるいは配置されないように、形成するあるいは配置することができる。例えば、個別のノードを形成して、あるいはキーに提供して、所望の反射性を提供するようにすることができる。これらのノードは、対象とするユーザの観察位置に光を反射するために、特定のｘ、ｙ及びｚ座標に配置し、大きさにして、そして、角度を付けることができる。所望の光学属性、例えば、反射性のノード群を設計することによって、対応するキーに提供される表記は、ユーザに光を向けるように構成設定することができ、そうすることで、表記は、低照明条件下でより見やすくなる。この構成設定は、例えば、曲線を成すこと、直線を成すこと、段差をつけること、あるいはそれらの組み合わせがある。各ノードは、所定の選択方法で光を反射するために設計することができる。
【００４９】
図６は、一実施形態に従うキーキャップ形成プロセス６００のフロー図である。キーキャップ形成プロセス６００は、例えば、電子デバイス（例えば、コンピュータデバイス）用のキーとして使用されるキーキャップを形成することである。電子デバイスは、１つ以上のキーを有するキー領域だけでなく、１つ以上のキーを照明するための光源として機能することができるディスプレイを含むことができる。
【００５０】
キーキャップ形成プロセス６００は、まず、キーキャップに提供されるべき表記を決定する６０２。例えば、この表記は、アルファベット文字、あるいはグラフィックシンボル（例えば、ロゴ、アイコン等）に関連付けることができる。提供すべき表記を決定した後６０２、傾斜反射効果（例えば、ブレーズ効果）が表記に提供されるべきかどうかを判定する決定を行うことができる６０４。この決定６０２が傾斜反射効果が提供されるべきであると判定する場合、傾斜反射構造（例えば、ブレーズ構造）を伴う表記がキーキャップ上に形成される６０６。その後、保護カバーが、表記に渡ってキーキャップ上に配置される６０８。選択的には、決定６０４が傾斜反射効果が表記に提供されるべきでないと判定する場合、任意の傾斜反射構造を提供することなく、表記をキーキャップ上に形成することができる６１０。例として、形成される表記は、ブレーズ構造のような、傾斜反射構造を含まない反射層を使用して形成されることになる６１０。ブロック６１０に続いて、キーキャップ形成プロセス６００は、ブロック６０８に進み、そこで、保護カバーを、表記に渡ってキーキャップを配置することができる。ブロック６０８に続いて、キーキャップ形成プロセス６００を終了することができる。
【００５１】
図７Ａは、一実施形態に従うキーキャップ７００の例示の上面を示している。キーキャップ７００は、上面７０２を含んでいる。キーキャップ７００の上面７０２は、反射表記７０４を示している。反射表記７０４は、傾斜光学部品を含む反射材料で形成されている。図７Ａに示される例では、図示の反射表記７０４は、「Ｏ」形状を有している。保護層７０６を、反射表記７０４に渡る上面７０２に提供することができる。保護層７０６は、典型的には、少なくとも反射表記７０４を覆うが、キーキャップ７００の上面７０２全体を覆うこともできる。保護層７０６は、反射表記７０４を保護する働きがある。保護層７０６は、実質的に透明層あるいはコーティングとすることができる。一実施形態では、保護層７０６も、光源として動作するディスプレイデバイスからのスクリーン画像の反射をマスクするための拡散を提供する。
【００５２】
図７Ｂは、一実施形態に従う反射キー７００’の断面図である。一実施形態では、反射キー７００’は、特定の色（例えば、黒）のような不透明にすることができる。反射キー７００’は、また、内部開口部（あるいは中空部）７０１を含むことができる。反射キー７００’は、上面７０２に提供される傾斜反射部品７０４を含むことができる。傾斜反射部品７０４は、ブレーズ構造７０８を含むことができる。図７Ｂに示される実施形態では、ブレーズ構造７０８は、複数ののこぎり歯形状の溝を含むことができる。
【００５３】
傾斜反射部品７０４は、反射材料から形成することができる、あるいは反射材料を含むことができる。反射材料は、広域スペクトル反射材料によって提供することができる。例えば、反射材料は、アルミニウム、銀あるいはそれらの合成物（あるいは合金）で形成することができる。特に、反射材料は、小片のアルミニウムあるいは銀を含有するインクあるいは塗料とすることができる。適切なインクの１つには、日本の東京にあるセイコーアドバンス社のミラー効果インクがある。適切な塗料の１つには、ペンシルバニア州、ピッツバーグにあるＰＰＧ工業社のミラー効果がある。
【００５４】
加えて、保護層７０６は、傾斜反射部品７０４（ブレーズ構造７０８を含む）に渡って提供することができる。保護層７０６は、薄膜保護コーティングである。保護層７０６は、完全に半透明でない場合には、少なくとも部分的なものである。保護層７０６は、色を透明（クリア）にすることができ、そして、拡散を提供するために、ガラス粒子、他のクリア材料（例えば、アクリル粒子）を含むことができる。ガラス粒子は、例えば、ファイバー状あるいは球状にすることができる。ブレーズ構造７０８と保護層７０６の薄さは、実装に依存する。但し、一例では、ブレーズ構造７０８は、約１−１５マイクロメートルの薄さを有することができる。保護層７０６の薄さも、実装に依存する。但し、一例では、保護層７０６は、約１５−３０マイクロメートルの薄さを有することができ、あるいはより具体的には、約２０−２２マイクロメートルの薄さを有することができる。
【００５５】
図７Ｃは、別の実施形態に従う反射キー７００’’の断面図である。反射キー７００’’は、特定の色（例えば、黒）のような不透明にすることができる。反射キー７００’’は、また、内部開口部（あるいは中空部）７０１を含むことができる。反射キー７００’’は、上面７０２に提供される反射光学層７１０を含むことができる。反射光学層７１０は、ブレーズ構造７１２を含むことができ、これは、複数の反射面（例えば、複数ののこぎり歯形状の溝）を含むことができる。
【００５６】
反射光学層７１０は、反射材料で提供される、あるいは反射材料を含むことができる。反射材料は、広域スペクトル反射材料によって提供することができる。例えば、反射材料は、アルミニウム、銀あるいはそれらの合成物（あるいは合金）で形成することができる。特に、反射材料は、小片のアルミニウムあるいは銀を含有するインクあるいは塗料とすることができる。適切なインクの１つには、日本の東京にあるセイコーアドバンス社のミラー効果インクがある。適切な塗料の１つには、ペンシルバニア州、ピッツバーグにあるＰＰＧ工業社のミラー効果がある。
【００５７】
加えて、パターン化層７１４は、反射光学層７１０の一部分に渡って提供することができる。パターン化層７１４は、典型的には、不透明層、例えば、黒である。パターン化層７１４は、反射キー７００’’の上面の少なくとも一部を覆うために提供することができ、そうすることで、反射光学層７１０の選択された部分だけを可視状態にすることができる。パターン化層７１４に覆われていない反射光学層７１０のこれらの部分は、即ち、ブレーズ構造７１２は、反射キー７００’’用の所望の表記を生み出す。パターン化層７１４の薄さも、実装に依存する。但し、一例では、パターン化層７１４は、約８−１５マイクロメートルの薄さを有することができ、あるいはより具体的には、約９−１１マイクロメートルの薄さを有することができる。
【００５８】
一実施形態では、パターン化層７１４は、反射光学層７１０（傾斜反射面を提供する）に渡って配置することができるマスク層を提供する。マスク層は、傾斜反射面の少なくとも一部分を覆うマスクを提供する。このマスクによって覆われない傾斜反射面のこれらの部分は、少なくとも１つのキー上に反射表記を形成する。
【００５９】
パターン化層７１４は、パターン化層７１４が、最初に適用される層にまず適用されるあるいは形成される場合に、形成されるパターンを有している。一実装では、層は、それが形成される際にパターンが施される。例えば、この層は、所望のパターン上で、吹き付け処理、シルクスクリーン処理あるいは蒸着処理（例えば、ＰＶＤ）することができる。別の実装では、この層は、形成してから、パターンを施すことができる。例えば、ケミカルエッチングあるいはレーザ切断を、層にパターンを施すために使用することができる。
【００６０】
パターン化層７１４が適用された後、保護層７１６を、パターン化層７１４に渡って提供することができる。保護層７１６は、反射層７１０とパターン化層５１０から得られる反射表記を保護することができる。保護層７１６は、薄膜保護コーティングである。保護層７１６の薄さは、実装に依存する。但し、一例では、保護層７１６は、約１５−３０マイクロメートルの薄さを有することができ、あるいはより具体的な例には、約２０−２２マイクロメートルの薄さを有することができる。保護層７１６も拡散を提供することができ、この場合には、拡散材料を含むことができる。保護層７２６は、吹き付け処理によって施すことができる。保護層７１６に対する吹き付け処理では、インクあるいは塗料を基礎とすることができ、また、典型的には、クリア（例えば、クリアアルカリ性塗料、クリア樹脂）であり、そして、拡散材料を含むことができる。保護層７１６の光沢レベル（あるいは拡散効果）は、拡散が提供される場合には、光沢レベル（例えば、約５光沢（グロス）ユニット）を制限するように制御することができる。
【００６１】
保護層７１６は、最初に適用される層にまず適用されるあるいは形成される場合に、形成されるパターンを有している。一実装では、層は、それが形成される際にパターンが施される。例えば、この層は、所望のパターン上で、吹き付け処理、シルクスクリーン処理あるいは蒸着処理（例えば、ＰＶＤ）することができる。別の実装では、この層は、形成してから、パターンを施すことができる。例えば、ケミカルエッチングあるいはレーザ切断を、層にパターンを施すために使用することができる。
【００６２】
本明細書で議論される反射光学部品７０４あるいは反射光学部品７１０は、上述のように、インクあるいは塗料として適用することができる。選択的には、反射層あるいはミラー素子は、銀あるいはアルミニウムのような金属で形成される場合には、物理的気相成長法（ＰＶＤ）によって適用することができる。このような場合、反射層あるいはミラー素子は、（１）マイクロメートルあるいはそれ未満の薄さにすることができる。
【００６３】
オプションとしては、上述のように、１つ以上のキーで受光される光の反射部分も、拡散させることができる。この拡散は反射光学部品に渡って提供される拡散材料の層によって提供することができる。保護層も、拡散を提供するために拡散材料を含むことができる。
【００６４】
図８は、別の実施形態を示す光学配置８００の概念図である。光学配置８００は、例えば、電子デバイスで使用することができる。光学配置８００は、光源８０２を含んでいる。光源８０２は、ディスプレイデバイスだけでなく、キー領域８０４内のキーを照明するために利用することができる光を生成する。光源８０２は、例えば、ＬＣＤディスプレイスクリーンのバックライトによって提供される。キー領域８０４は、低照明条件下で照明を容易にするように、同様に構成することができる複数のキーを含んでいる。特に、キー領域８０４内のキーは、キーキャップ８０６を含んでいる。キーキャップは、キーの上方部分あるいは上部にあるものと見なされる。
【００６５】
光学配置８００は、図２に示される光学配置２００に類似している。しかしながら、光学配置２００と異なり、光学配置８００は、１つ以上のキー、あるいは、それらのブレーズ角度の設計目標を決定された方向で提供することで、光源８０２からユーザ位置へ光を向けることに貢献する。図８に示されるように、キー領域８０４内の少なくとも外側のキーは、内側に向けられているあるいは角度がつけられていて、キー領域８０４に対してより高いユーザ位置に向けてより多くの反射光が向かうようにしている。選択的には、別の実施形態では、キー領域８０４内の少なくとも外側のキーは、外側に向けられているあるいは角度がつけられていて、キー領域８０４に対してより低いユーザ位置に向けてより多くの反射光が向かうようにしている。
【００６６】
図８は、角度が付けられているキー（あるいはそのキーの少なくともキーキャップ）を示しているが、別の実施形態では、このキーキャップは、一般的なキーボード（即ち、非傾斜）から変更されていないが、ブレーズ角度は意図的に変更されていて、そうすることで、光は、ユーザ位置のより広い範囲に向けることができる。図８の左側のキーは、名目上のユーザ位置より上に光を向けるように設計されているブレーズ構造を有することができ、また、図８の右側のキーは、名目上のユーザ位置より下に光が向けられるように設計されているブレーズ構造を有することができる。同様に、図８の左側のキーは、名目上のユーザ位置より下に光が向けられるように設計されているブレーズ構造を有することができ、図８の右側のキーは、名目上のユーザ位置より上に光を向けるように設計されているブレーズ構造を有することがでる。同様に、他の角度方向では、キーボードのユーザの左側のキー（例えば、「Ａ」キー）は、左目（あるいは更には、名目上のユーザの左）に光が向けられるように設計されているブレーズ構造を有することができ、また、キーボードの右側のキーは、右目（あるいは更には、名目上のユーザの右）に光が向けられるように設計されているブレーズ構造を有することができる。同様に、キーボードのユーザの左側のキー（例えば、「Ａ」キー）は、右目（あるいは更には、名目上のユーザの右）に光が向けられるように設計されているブレーズ構造を有することができ、また、キーボードの右側のキーは、左目（あるいは更には、名目上のユーザの左）に光が向けられるように設計されているブレーズ構造を有することができる。このようにして、ディスプレイからの光を、より多くの種類のユーザ位置へ反射することができ、これは、キーボードの反射輝度の均一性を設計するために利用することが可能である。この設計の手法は、切子面ブレーズに代えて、あるいは切子面ブレーズに加えて、使用することができる。この設計の手法は、キーに渡るキーのブレーズ角度を変更することに代えて、あるいはキーに渡るキーのブレーズ角度を変更することに加えて、使用することができる。
【００６７】
上述のように、キーを方向付けることに加えて、キーキャップ８０６を、照明を容易にするために変更することができる。特に、一実施形態に従えば、キーキャップ８０６のそれぞれの上部に、反射光学部品８０８と外層８１０とが適用される。反射光学部品８０８は、キー領域８０４に入射される光源８０２からの光８１２の少なくとも一部を反射するように機能することができる。入射光８１２は、キー領域８０４内のキーキャップ８０６に突き当たり、外層８１０を通過して、そして、反射光学部品８０８によって部分的に反射されることで、ユーザの目８１６に向けて反射光８１４が提供される。
【００６８】
外層８１０は、保護層（あるいは保護カバー）及び拡散層の少なくとも一方として機能することができる。保護層及び拡散層は、別層とすることもできるし、あるいは、１つの層として組み合わせることができる。
【００６９】
反射光学部品８８０を保護するために、保護層を提供することができる。保護層は、キーキャップ８０６に提供される反射光学部品８０８に渡って提供することができる。典型的には、外層８１０は、入射光８１２と反射光８１４に対して実質的に光学的に透過である。
【００７０】
反射光学部品８０８は、ユーザ位置へ光を向ける。いくつかの実施形態では、反射光学部品８０８は、入射光を多少散乱させることができ、そうすることで、拡散層によって引き起こされる拡散を必要としないようにすることができる。拡散層は、提供される場合には、反射光８１４を拡散する（あるいは散乱させる）ように動作することができ、そうすることで、キーキャップ８０６上の照明は拡散され、そして、光源８０２によって描かれる任意の画像が拡散され、そして、キーキャップ８０６の照明は、光源８０２によって描かれる画像の直接反射とは対照的に通常の照明を提供する。
【００７１】
一般的に、キーのそれぞれは、光源８０２からの入射光８１２を、対応するキー上の１つ以上の反射面を使用して、ユーザ位置へ反射光を向けることができるように形成することができる。１つ以上の反射面は、低照明条件下でキー表記の照明を高めるように角度付けることができる。１つ以上の反射面の角度は、所与のキーに提供される反射光学部品８０８に依存し、これは、所与のキーの方向による任意の方向角度によるものである。所与のキーは、また、自身の複数の反射面に対して複数の異なる角度を有することができる。
【００７２】
従って、ユーザ入力部分は、複数のキー（あるいはキーキャップ）を有するキー領域に関係する。キー及びその上の表記の少なくとも一方は、ユーザ視界エリア８１８（例えば、光学配置８００を有する電子デバイスを使用する場合に、通常、ユーザが位置しているエリア）に光を向けるように設計することができる。一実施形態では、ユーザ入力部分は、対象のユーザ視界エリア８１８に光を向けるための基底部（ベース）あるいはハウジングに関して傾けられていても良い、あるいは角度が付けられていても良い。選択的にあるいは追加的に、ユーザ入力領域の様々な部分が、対象のユーザ視界エリア８１８に光を向けるように、互いに関して、及び／あるいは基底部あるいはハウジングに関して、傾けられていても良い、あるいは角度が付けられていても良い。例としては、キー領域内のキーは、様々な部分にグループ分けすることができ、これらの部分のそれぞれを、他のグループとは異なるように傾けられていても良い、あるいは角度が付けられていても良い。一例では、キーは、左と右にグループ分けすることができ、それぞれが一方に対して反対の角度が付けられているが、両方とも角度が付けられていて、そうすることで、対象のユーザ視界エリア８１８に光を向ける。別の例では、キーを上部と下部とでグループ分けして、これらのグループそれぞれに異なる角度を持たせることで、対象のユーザ視界エリア８１８に光を向ける。更に別の例では、キーを、４分割にするあるいは任意のタイプの構成に分割することで、対象のユーザ視界エリア８１８に光を向けることに役立てることができる。例えば、４分割、上／左、上／右、下／左、及び下／右を異なせて角度を付けることができる。選択的にはあるいは追加的には、キーを、対象のユーザ視界エリア８１８にそれぞれが光を向けるために、互いに関して、及びあるいは基底部あるいはハウジングに関して、傾けられていても良い、あるいは角度が付けられていても良い。例えば、各キーは、自身の固有の角度あるいは複数の角度を有していても良い。選択的にはあるいは追加的には、表記自身を、対象のユーザ視界エリア８１８に光を向けるために、キーに関して傾けられていても良い、あるいは角度が付けられていても良い。例えば、表記は、キーの角度とは異なる角度の反射面を有していても良い。追加的にはあるいは選択的には、表記は、光を向けるための、様々な形状あるいは外形を備えるように設計されていても良い。例えば、表記は、直線的及び曲線的の少なくとも一方とすることができる。例には、凸面、凹面、波状、及びその類がある。表記の光学的な挙動は、それに対応するキーに付随する自身の配置によって影響を受ける場合がある。例えば、表記が半透明層／透明層に埋め込まれている場合、光学属性は、この層を通じて発生し得る光線の曲りを補正するために変更することができる。
【００７３】
図９は、別の実施形態に従うキー照明プロセス９００のフロー図である。キー照明プロセス９００は、例えば、光源と１つ以上のキーを備えるキー領域を有する電子デバイス（例えば、コンピュータデバイス）によって実行される。例えば、キー照明プロセス９００は、図２で示される光学的な配置２００、あるいは図８で示される光学配置８００を提供する電子デバイスによって実行することができる。キー照明プロセス９００は、反射ブレーズ構造がブレーズ構造であり、かつ反射光も拡散されること以外は、キー照明プロセス３００と類似している。
【００７４】
キー照明プロセス９００は、自身の光学部品として、ブレーズ構造を備えるキー領域内で１つ以上のキーを提供する９０２。ブレーズ構造を有する１つ以上のキーは、１つ以上のキーにおいて、光源（例えば、電子デバイス用ディスプレイ）から放射される光を受光する９０４。１つ以上のキーで受光される光の部分は、ブレーズ構造を介して反射される９０６。その後、反射光は、拡散され９０８、そして、ユーザ位置に提供される９１０。その結果、１つ以上のキーを、電子デバイスの光源から発生される光を使用して照明することができる。光源は、例えば、ポータブルコンピュータのような電子デバイスのディスプレイ（スクリーン）とすることができる。このように、キー照明プロセス９００は、既存の光源（例えば、ディスプレイデバイス）を使用するので、専用の光源を必要としない。１つ以上のキーからの光の反射は、１つ以上のキーに提供されているブレーズ構造によるものである。拡散９０８は光学的なものであり、また、ブレーズ構造に提供される拡散層によって提供することができる。
【００７５】
上述のように、電子デバイスのキー領域の１つ以上のキーは、反射光学部品（例えば、ブレーズ構造）を提供することで、ディスプレイからの反射光を使用して、そのようなキーの照明を高めることができる。しかしながら、キー領域のキーのいくつかの一方に単に反射材料を備える（即ち、光学部品なし）ように提供することができることに注意すべきである。反射材料と反射ブレーズ構造の両方は光を反射することができる一方で、反射光学部品は、より大きな量の光を反射することができる利点を提供することができる。ここで、ポータブルコンピュータのキーパッドの場合、反射光学部品はそれらのキーキャップ上で使用することができ、そうでなければ、入射光をあまり反射しないことになるであろうし、側面及び背面にあるそのようなキーは、入射光をあまり受光せず、そして反射しない傾向になる。
【００７６】
上述の技術は、主に、キーのようなユーザ入力デバイスに対する反射表記に関係するものであるが、他の実施形態では、本明細書で説明される技術を、低照明条件下でより効果的に視認されるような他の反射マーキング処理を提供するために使用することができる。一般的には、製品上に提供される反射マーキング、あるいはアノテーションは、テキスト及び絵の少なくとも一方とすることができる。このマーキングは、情報的な、修飾的な、及び機能的な理由の少なくとも１つの理由に対して提供され得る。例えば、マーキングは、製品（例えば、製品の筐体）に一定の情報を施すために使用することができる。マーキングは、例えば、様々な情報を製品にラベルとして付けるために使用することができる。マーキングがテキストを含む場合、そのテキストは、製品（例えば、電子デバイス）に関する情報を提供できる。例えば、このテキストは、製品の名前、商標あるいは著作権情報、設計場所、組立場所、モデル番号、シリアル番号、ライセンス番号、代理店承認、規格準拠、電子コード、デバイスのメモリ及びその類の１つ以上を含むことができる。マーキングが絵である場合、その絵は、通常は、製品に関連付けられている、ロゴ、一定のマーク、規格マーク、あるいは承認マークに関係する。マーキングは、製品上に提供すべき広告のために使用することができる。このマーキングは、また、製品の筐体のカスタマイズ（例えば、ユーザカスタマイズ）のために使用することができる。
【００７７】
本明細書で説明される実施形態は、ディスプレイデバイスあるいはキーに対する変更を必要としないが、いくつかの実施形態では、そのディスプレイデバイスあるいはキーの物理的な構成を変更することが有用な場合がある。例えば、ディスプレイデバイスは、自身の放射光の一部を、照明対象のキーに入射するように変更されても良い。また、例えば、キーは、ディスプレイデバイスから放射される光をより効果的に受光することをキーに可能にするように変更されても良い。例えば、キーに対する構造は、ディスプレイデバイスに向く角度に曲げられていても良い。
【００７８】
加えて、本明細書で説明される実施形態は、キーあるいはキーボードのバックライトのような、キーボードのキーをライティングするための要件を取り除くために使用することができる。しかしながら、いくつかの実施形態では、上述の反射光を高めることの使用を通じて、低照明条件下でキーの照明を高めることだけでなく、バックライトのようなキーへの更なるライティングを提供することが要望される場合がある。一実装では、キー本体は、少なくとも部分的に透明あるいはクリアとすることができ、ここで、たいていの反射インクは透過光を許容するので、キーあるいはキーボードをバックライト付きにする場合がある。
【００７９】
低照明条件下でキーキャップの視認性を高めることの更なる詳細は、参照することで、本明細書に組み込まれる、「低照明条件下でのキーキャップの表記の視認性を向上させるための方法及び装置」という名称の、２０１１年２月８日に出願されている国際出願ＰＣＴ／ＵＳ２０１１／０４６３３２号で確認することができる。
【００８０】
上述の本発明の様々な態様、特徴、実施形態あるいは実装は、単独で、あるいは様々な組み合わせで使用することができる。
【００８１】
異なる態様、実施形態あるいは実装は、必ずしも必要ではないが、以下の利点の１つ以上をもたらすことができる。１つの利点は、表記あるいはマーキングは、適切な拡散を伴って反射することができるので、表記あるいはマーキングは、低照明条件下で可視状態にすることができることである。光学部品は、反射性を高めるために使用することもできる。別の利点は、キー上の表記が適切に反射する場合、キー群（例えば、キーボードあるいはキーパッド）に対して必要とされるバックライトが必要となされないことである。ここで、バックライトを支持する追加の部品は必要とされないので、電子デバイスは、潜在的により薄くすることができる。更なる利点は、反射表記に、耐久性をもたせ、確実な接着で保護される方法で、反射表記をキーに提供することができることである。
【００８２】
本発明の多くの特徴及び利点は、記載される説明から明らかである。また、当業者にとって、いくつかの変形及び変更は容易に生じるであろうから、本発明が、図示されかつ記載される実際の構成及び動作に制限されるべきでない。ここで、あらゆる適切な変更及び等価構成は、本発明の範囲内に収まるように依拠されるものである。
【図１Ａ】
0005865392.tif 000002
【図１Ｂ】
0005865392.tif 000003
【図１Ｃ】
0005865392.tif 000004
【図１Ｄ】
0005865392.tif 000005
【図２】
0005865392.tif 000006
【図３】
0005865392.tif 000007
【図４Ａ】
0005865392.tif 000008
【図４Ｂ】
0005865392.tif 000009
【図４Ｃ】
0005865392.tif 000010
【図５Ａ】
0005865392.tif 000011
【図５Ｂ】
0005865392.tif 000012
【図５Ｃ】
0005865392.tif 000013
【図５Ｄ】
0005865392.tif 000014
【図５Ｅ】
0005865392.tif 000015
【図６】
0005865392.tif 000016
【図７Ａ】
0005865392.tif 000017
【図７Ｂ】
0005865392.tif 000018
【図７Ｃ】
0005865392.tif 000019
【図８】
0005865392.tif 000020
【図９】
0005865392.tif 000021